(57)【要約】  フェムトノードがそのＲＦパラメータのうちの１つまたは複数を構成するためのシステムおよび方法が提供される。これは、たとえば、１つまたは複数の隣接フェムトノードまたはピコノードから受信された信号に部分的に基づいて、１つまたは複数の隣接フェムトノードまたはピコノードの能力を判定することと、１つまたは複数の隣接フェムトノードまたはピコノードの判定された能力をフェムトノードの１つまたは複数の能力と比較することと、比較に基づいて、フェムトノードの１つまたは複数のＲＦパラメータを調整することとによって達成され得る。
2015512225.tif 000002
【特許請求の範囲】
【請求項１】
フェムトノードがその無線周波数（ＲＦ）パラメータのうちの１つまたは複数を構成するための方法であって、
１つまたは複数の隣接フェムトノードまたはピコノードから受信された信号に部分的に基づいて、前記１つまたは複数の隣接フェムトノードまたはピコノードの能力を判定することと、
前記１つまたは複数の隣接フェムトノードまたはピコノードの前記判定された能力を前記フェムトノードの１つまたは複数の能力と比較することと、
前記比較に基づいて、前記フェムトノードの１つまたは複数のＲＦパラメータを調整することと
を備える方法。
【請求項２】
前記能力が、チャネル要素の数、バックホールキャパシティもしくはコスト、合計送信電力、ダウンリンクもしくはアップリンク負荷メトリック、選好ユーザタイプ、またはアクセスモードを備える、請求項１に記載の方法。
【請求項３】
前記１つまたは複数の隣接フェムトノードまたはピコノードの前記能力が、前記１つまたは複数の隣接フェムトノードまたはピコノードによって送信された物理レイヤ属性に部分的に基づいて判定される、請求項１に記載の方法。
【請求項４】
前記１つまたは複数の隣接フェムトノードまたはピコノードの前記能力が、前記１つまたは複数の隣接フェムトノードまたはピコノードから受信されたブロードキャストメッセージに部分的に基づいて判定される、請求項１に記載の方法。
【請求項５】
前記１つまたは複数の隣接フェムトノードまたはピコノードの前記能力が、前記１つまたは複数の隣接フェムトノードまたはピコノードとのバックホール接続を介して前記１つまたは複数の隣接フェムトノードまたはピコノードから受信されたメッセージに部分的に基づいて判定される、請求項１に記載の方法。
【請求項６】
前記１つまたは複数の隣接フェムトノードまたはピコノードの前記能力が、ユーザ機器（ＵＥ）を通じて受信されたメッセージに部分的に基づいて判定される、請求項１に記載の方法。
【請求項７】
前記１つまたは複数のＲＦパラメータを調整することが、前記フェムトノードの送信電力、リソース割振り、または周波数スペクトルを調整することを備える、請求項１に記載の方法。
【請求項８】
前記フェムトノードの前記１つまたは複数の能力を前記１つまたは複数の隣接フェムトノードまたはピコノードの少なくとも一部分に通信することをさらに備える、請求項１に記載の方法。
【請求項９】
フェムトノードの１つまたは複数の無線周波数（ＲＦ）パラメータを構成するための装置であって、
１つまたは複数の隣接フェムトノードまたはピコノードから受信された信号に部分的に基づいて、前記１つまたは複数の隣接フェムトノードまたはピコノードの能力を判定することと、
前記１つまたは複数の隣接フェムトノードまたはピコノードの前記判定された能力を前記フェムトノードの１つまたは複数の能力と比較することと、
前記比較に基づいて、前記フェムトノードの１つまたは複数のＲＦパラメータを調整することと
を行うように構成された少なくとも１つのプロセッサと、
前記少なくとも１つのプロセッサに結合されたメモリと
を備える装置。
【請求項１０】
前記能力が、チャネル要素の数、バックホールキャパシティもしくはコスト、合計送信電力、ダウンリンクもしくはアップリンク負荷メトリック、選好ユーザタイプ、またはアクセスモードを備える、請求項９に記載の装置。
【請求項１１】
前記１つまたは複数の隣接フェムトノードまたはピコノードの前記能力が、前記１つまたは複数の隣接フェムトノードまたはピコノードによって送信された物理レイヤ属性に部分的に基づいて判定される、請求項９に記載の装置。
【請求項１２】
前記１つまたは複数の隣接フェムトノードまたはピコノードの前記能力が、前記１つまたは複数の隣接フェムトノードまたはピコノードから受信されたブロードキャストメッセージに部分的に基づいて判定される、請求項９に記載の装置。
【請求項１３】
前記１つまたは複数の隣接フェムトノードまたはピコノードの前記能力が、前記１つまたは複数の隣接フェムトノードまたはピコノードとのバックホール接続を介して前記１つまたは複数の隣接フェムトノードまたはピコノードから受信されたメッセージに部分的に基づいて判定される、請求項９に記載の装置。
【請求項１４】
前記１つまたは複数の隣接フェムトノードまたはピコノードの前記能力が、ユーザ機器（ＵＥ）を通じて受信されたメッセージに部分的に基づいて判定される、請求項９に記載の装置。
【請求項１５】
前記少なくとも１つのプロセッサが、前記フェムトノードの送信電力、リソース割振り、または周波数スペクトルを調整することによって、前記１つまたは複数のＲＦパラメータを調整するように構成される、請求項９に記載の装置。
【請求項１６】
前記少なくとも１つのプロセッサが、前記フェムトノードの前記１つまたは複数の能力を前記１つまたは複数の隣接フェムトノードまたはピコノードの少なくとも一部分に通信するようにさらに構成される、請求項９に記載の装置。
【請求項１７】
フェムトノードの１つまたは複数の無線周波数（ＲＦ）パラメータを構成するための装置であって、
１つまたは複数の隣接フェムトノードまたはピコノードから受信された信号に部分的に基づいて、前記１つまたは複数の隣接フェムトノードまたはピコノードの能力を判定するための手段と、
前記１つまたは複数の隣接フェムトノードまたはピコノードの前記判定された能力を前記フェムトノードの１つまたは複数の能力と比較するための手段と、
前記比較に基づいて、前記フェムトノードの１つまたは複数のＲＦパラメータを調整するための手段と
を備える装置。
【請求項１８】
前記能力が、チャネル要素の数、バックホールキャパシティもしくはコスト、合計送信電力、ダウンリンクもしくはアップリンク負荷メトリック、選好ユーザタイプ、またはアクセスモードを備える、請求項１７に記載の装置。
【請求項１９】
前記１つまたは複数の隣接フェムトノードまたはピコノードの前記能力が、前記１つまたは複数の隣接フェムトノードまたはピコノードによって送信された物理レイヤ属性に部分的に基づいて判定される、請求項１７に記載の装置。
【請求項２０】
前記１つまたは複数の隣接フェムトノードまたはピコノードの前記能力が、前記１つまたは複数の隣接フェムトノードまたはピコノードから受信されたブロードキャストメッセージに部分的に基づいて判定される、請求項１７に記載の装置。
【請求項２１】
前記１つまたは複数の隣接フェムトノードまたはピコノードの前記能力が、前記１つまたは複数の隣接フェムトノードまたはピコノードとのバックホール接続を介して前記１つまたは複数の隣接フェムトノードまたはピコノードから受信されたメッセージに部分的に基づいて判定される、請求項１７に記載の装置。
【請求項２２】
前記１つまたは複数の隣接フェムトノードまたはピコノードの前記能力が、ユーザ機器（ＵＥ）を通じて受信されたメッセージに部分的に基づいて判定される、請求項１７に記載の装置。
【請求項２３】
前記１つまたは複数のＲＦパラメータを調整するための前記手段が、前記フェムトノードの送信電力、リソース割振り、または周波数スペクトルを調整するための手段を備える、請求項１７に記載の装置。
【請求項２４】
前記フェムトノードの前記１つまたは複数の能力を前記１つまたは複数の隣接フェムトノードまたはピコノードの少なくとも一部分に通信するための手段をさらに備える、請求項１７に記載の装置。
【請求項２５】
少なくとも１つのプロセッサによって実行されると、フェムトノードがその無線周波数（ＲＦ）パラメータのうちの１つまたは複数を構成するための動作を前記少なくとも１つのプロセッサに行わせるコードを備える非一時的コンピュータ可読媒体であって、
１つまたは複数の隣接フェムトノードまたはピコノードから受信された信号に部分的に基づいて、前記１つまたは複数の隣接フェムトノードまたはピコノードの能力を判定するためのコードと、
前記１つまたは複数の隣接フェムトノードまたはピコノードの前記判定された能力を前記フェムトノードの１つまたは複数の能力と比較するためのコードと、
前記比較に基づいて、前記フェムトノードの１つまたは複数のＲＦパラメータを調整するためのコードと
を備える非一時的コンピュータ可読媒体。
【請求項２６】
前記能力が、チャネル要素の数、バックホールキャパシティもしくはコスト、合計送信電力、ダウンリンクもしくはアップリンク負荷メトリック、選好ユーザタイプ、またはアクセスモードを備える、請求項２５に記載の非一時的コンピュータ可読媒体。
【請求項２７】
前記１つまたは複数の隣接フェムトノードまたはピコノードの前記能力が、前記１つまたは複数の隣接フェムトノードまたはピコノードによって送信された物理レイヤ属性に部分的に基づいて判定される、請求項２５に記載の非一時的コンピュータ可読媒体。
【請求項２８】
前記１つまたは複数の隣接フェムトノードまたはピコノードの前記能力が、前記１つまたは複数の隣接フェムトノードまたはピコノードから受信されたブロードキャストメッセージに部分的に基づいて判定される、請求項２５に記載の非一時的コンピュータ可読媒体。
【請求項２９】
前記１つまたは複数の隣接フェムトノードまたはピコノードの前記能力が、前記１つまたは複数の隣接フェムトノードまたはピコノードとのバックホール接続を介して前記１つまたは複数の隣接フェムトノードまたはピコノードから受信されたメッセージに部分的に基づいて判定される、請求項２５に記載の非一時的コンピュータ可読媒体。
【請求項３０】
前記１つまたは複数の隣接フェムトノードまたはピコノードの前記能力が、ユーザ機器（ＵＥ）を通じて受信されたメッセージに部分的に基づいて判定される、請求項２５に記載の非一時的コンピュータ可読媒体。
【請求項３１】
前記１つまたは複数のＲＦパラメータを調整するための前記コードが、前記フェムトノードの送信電力、リソース割振り、または周波数スペクトルを調整するためのコードを備える、請求項２５に記載の非一時的コンピュータ可読媒体。
【請求項３２】
前記フェムトノードの前記１つまたは複数の能力を前記１つまたは複数の隣接フェムトノードまたはピコノードの少なくとも一部分に通信するためのコードをさらに備える、請求項２５に記載の非一時的コンピュータ可読媒体。
【発明の詳細な説明】
【技術分野】
【０００１】
米国特許法第１１９条に基づく優先権の主張
[0001]本特許出願は、本出願の譲受人に譲渡され、参照により明確に本明細書に組み込まれる、２０１２年３月２日に出願された「ＭＥＴＨＯＤ  ＡＮＤ  ＡＰＰＡＲＡＴＵＳ  ＦＯＲ  ＤＥＴＥＲＭＩＮＩＮＧ  ＲＦ  ＰＡＲＡＭＥＴＥＲＳ  ＢＡＳＥＤ  ＯＮ  ＮＥＩＧＨＢＯＲＩＮＧ  ＡＣＣＥＳＳ  ＰＯＩＮＴＳ」という名称の米国仮出願第６１／６０６，２１２号の利益を主張する。
【０００２】
[0002]本開示は一般に電気通信に関し、より詳細には、フェムトセル基地局管理などに関する。
【背景技術】
【０００３】
[0003]ワイヤレス通信システムは、たとえば、音声、データなどの様々なタイプの通信コンテンツを提供するために広く配置されている。典型的なワイヤレス通信システムは、利用可能なシステムリソース（たとえば、帯域幅、送信電力など）を共有することによって、複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどが含まれ得る。加えて、これらのシステムは、第３世代パートナーシッププロジェクト（３ＧＰＰ）、３ＧＰＰロングタームエボリューション（ＬＴＥ）、ウルトラモバイルブロードバンド（ＵＭＢ）、エボリューションデータオプティマイズド（ＥＶ−ＤＯ）などの規格に準拠することができる。
【０００４】
[0004]一般に、ワイヤレス多元接続通信システムは、複数のモバイルデバイス向けの通信を同時にサポートすることができる。各モバイルデバイスは、順方向リンクおよび逆方向リンク上の伝送を介して、１つまたは複数の基地局と通信することができる。順方向リンク（またはダウンリンク）は、基地局からモバイルデバイスまでの通信リンクを指し、逆方向リンク（またはアップリンク）は、モバイルデバイスから基地局までの通信リンクを指す。さらに、モバイルデバイスと基地局との間の通信は、単入力単出力（ＳＩＳＯ）システム、多入力単出力（ＭＩＳＯ）システム、多入力多出力（ＭＩＭＯ）システムなどを介して確立することができる。加えて、ピアツーピアワイヤレスネットワーク構成では、モバイルデバイスは他のモバイルデバイスと（および／または基地局は他の基地局と）通信することができる。
【０００５】
[0005]従来の基地局を補足するために、さらなる低電力基地局を配置して、より堅牢なワイヤレスカバレージをモバイルデバイスに提供することができる。たとえば、（Ｈ（ｅ）ＮＢと総称されるホームノードＢまたはホームｅＮＢ、フェムトノード、フェムトセルノード、ピコノード、マイクロノードなどと一般に呼ばれる）低電力基地局は、容量の漸進的増大、より豊かなユーザエクスペリエンス、屋内または他の特定の地理的カバレージなどのために配置され得る。いくつかの構成では、そのような低電力基地局は、モバイル事業者のネットワークへのバックホールリンクを提供することができるブロードバンド接続（たとえば、デジタル加入者回線（ＤＳＬ）ルータ、ケーブルまたは他のモデムなど）を介して、インターネットに接続される。この点について、低電力基地局は、現在のネットワーク環境を考慮することなく、家庭、オフィスなどに配置されることが多い。
【発明の概要】
【０００６】
[0006]本発明の例示的な実施形態は、低電力基地局「フェムトノード」が、その無線周波数（ＲＦ）パラメータのうちの１つまたは複数を構成するためのシステムおよび方法を対象とする。
【０００７】
[0007]いくつかの実施形態では、フェムトノードがそのＲＦパラメータのうちの１つまたは複数を構成するための方法が提供される。方法は、たとえば、１つまたは複数の隣接フェムトノードまたはピコノードから受信された信号に部分的に基づいて、１つまたは複数の隣接フェムトノードまたはピコノードの能力を判定することと、１つまたは複数の隣接フェムトノードまたはピコノードの判定された能力をフェムトノードの１つまたは複数の能力と比較することと、比較に基づいて、フェムトノードの１つまたは複数のＲＦパラメータを調整することとを備え得る。
【０００８】
[0008]他の実施形態では、フェムトノードの１つまたは複数のＲＦパラメータを構成するための装置が提供される。装置は、たとえば、１つまたは複数の隣接フェムトノードまたはピコノードから受信された信号に部分的に基づいて、１つまたは複数の隣接フェムトノードまたはピコノードの能力を判定することと、１つまたは複数の隣接フェムトノードまたはピコノードの判定された能力をフェムトノードの１つまたは複数の能力と比較することと、比較に基づいて、フェムトノードの１つまたは複数のＲＦパラメータを調整することとを行うように構成された少なくとも１つのプロセッサを備え得る。それに応じて、本装置はまた、たとえば、少なくとも１つのプロセッサに結合されたメモリを備え得る。
【０００９】
[0009]さらに他の実施形態では、フェムトノードの１つまたは複数のＲＦパラメータを構成するための別の装置が提供される。装置は、たとえば、１つまたは複数の隣接フェムトノードまたはピコノードから受信された信号に部分的に基づいて、１つまたは複数の隣接フェムトノードまたはピコノードの能力を判定するための手段と、１つまたは複数の隣接フェムトノードまたはピコノードの判定された能力をフェムトノードの１つまたは複数の能力と比較するための手段と、比較に基づいて、フェムトノードの１つまたは複数のＲＦパラメータを調整するための手段とを備え得る。
【００１０】
[0010]さらに他の実施形態では、少なくとも１つのプロセッサによって実行されると、フェムトノードがそのＲＦパラメータのうちの１つまたは複数を構成するための動作を少なくとも１つのプロセッサに行わせるコードを備えるコンピュータ可読媒体が提供される。コンピュータ可読媒体は、たとえば、１つまたは複数の隣接フェムトノードまたはピコノードから受信された信号に部分的に基づいて、１つまたは複数の隣接フェムトノードまたはピコノードの能力を判定するためのコードと、１つまたは複数の隣接フェムトノードまたはピコノードの判定された能力をフェムトノードの１つまたは複数の能力と比較するためのコードと、比較に基づいて、フェムトノードの１つまたは複数のＲＦパラメータを調整するためのコードとを備え得る。
【００１１】
[0011]添付の図面は、本発明の実施形態の説明を助けるために提示され、実施形態の限定ではなく実施形態の例示のためのみに提供される。
【図面の簡単な説明】
【００１２】
【図１】[0012]フェムトノードの無線周波数（ＲＦ）パラメータを調整することを容易にする例示的なシステムのブロック図。
【図２】[0013]アクセスポイントの能力を比較して、フェムトノードのＲＦパラメータを判定することを容易にする例示的なシステムのブロック図。
【図３】[0014]フェムトノードのＲＦパラメータを調整するための例示的な方法の一態様のフローチャート。
【図４】[0015]フェムトノードのＲＦパラメータを調整する例示的なシステムのブロック図。
【図５】[0016]本明細書に記載された様々な態様による例示的なワイヤレス通信システムのブロック図。
【図６】[0017]本明細書で説明する様々なシステムおよび方法と連携して使用され得る例示的なワイヤレスネットワーク環境の説明図。
【図７】[0018]本明細書の態様が実施され得る、いくつかのデバイスをサポートするように構成された例示的なワイヤレス通信システムを示す図。
【図８】[0019]ネットワーク環境内のフェムトノードの配置を可能にする例示的な通信システムの説明図。
【図９】[0020]いくつかの画定されたトラッキングエリアを有するカバレージマップの一例を示す図。
【発明を実施するための形態】
【００１３】
[0021]次に、図面を参照しながら様々な態様について説明する。以下の説明では、説明の目的で、１つまたは複数の態様の完全な理解を与えるために多数の具体的な詳細が記載される。しかしながら、そのような態様をこれらの具体的な詳細なしに実施できることは明白であり得る。
【００１４】
[0022]本明細書でさらに説明するように、フェムトノードなどの低電力基地局は、隣接アクセスポイントの観測に基づいて、無線周波数（ＲＦ）パラメータを構成することができる。この点について、低電力基地局は、事実上、観測に基づいて、デバイスに低電力基地局を優先させるか、または代わりに他のアクセスポイントを優先させることができる。たとえば、低電力基地局は、１つまたは複数の測定されたまたは場合によっては受信されたパラメータに基づいて、隣接アクセスポイントの能力を判定することができる。加えて、隣接アクセスポイントは、ブロードキャスト、バックホール、または他の（たとえば、ユーザデバイス）信号および関連するパラメータを使用して、低電力基地局がＲＦパラメータを調整するために受信し、使用することができる能力を示すことができる。一例では、低電力基地局は、その能力をＲＦパラメータを構成する際の低電力基地局の能力と比較することができる。隣接アクセスポイントが低電力基地局よりも良い能力を有する場合、たとえば、低電力基地局は、隣接アクセスポイントのカバレージエリアを事実上拡大する目的でＲＦパラメータを設定し、したがって、低電力基地局ではなく、隣接アクセスポイントによって、より多くのデバイスにサービスさせることができる。
【００１５】
[0023]本明細書で参照される低電力基地局は、フェムトノード、ピコノード、マイクロノード、ホームノードＢもしくはホーム発展型ノードＢ（Ｈ（ｅ）ＮＢ）、リレー、および／または他の低電力基地局を含むことができ、これらの用語の１つを使用して本明細書では呼ぶことができるが、これらの用語の使用は概して低電力基地局を包含するものとする。一般に、低電力基地局は、ワイヤレスワイドエリアネットワーク（ＷＷＡＮ）に関連するマクロ基地局と比較して、比較的低い電力で送信するので、そのように呼ばれる。したがって、低電力基地局のカバレージエリアは、通常、マクロ基地局のカバレージエリアよりも実質的に小さい。
【００１６】
[0024]本出願で使用される場合、「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、プロセッサ上で実行されるプロセス、プロセッサ、オブジェクト、実行ファイル、実行スレッド、プログラム、および／またはコンピュータであり得るが、これらに限定されない。例として、コンピューティングデバイス上で実行されるアプリケーションと、そのコンピューティングデバイスの両方が、構成要素であり得る。１つまたは複数の構成要素が、プロセスおよび／または実行スレッド内に常駐することができ、１つの構成要素が、１つのコンピュータ上に配置されてよく、かつ／または２つ以上のコンピュータ間に分散されてよい。加えて、これらの構成要素は、様々なデータ構造を記憶している様々なコンピュータ可読媒体から実行することができる。これらの構成要素は、信号によって、ローカルシステム、分散システム内の別の構成要素と対話し、かつ／またはインターネットなどのネットワークを介して他のシステムと対話する１つの構成要素からのデータなどの、１つまたは複数のデータパケットを有する信号に従うことなどによって、ローカルプロセスおよび／またはリモートプロセスによって通信し得る。
【００１７】
[0025]さらに、ワイヤード端末またはワイヤレス端末であり得る端末に関して、様々な態様について本明細書で説明する。端末は、システム、デバイス、加入者ユニット、加入者局、移動局、モバイル、モバイルデバイス、リモート局、リモート端末、アクセス端末、ユーザ端末、通信デバイス、ユーザエージェント、ユーザデバイス、またはユーザ機器（ＵＥ）と呼ばれることもある。ワイヤレス端末またはデバイスは、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、タブレット、コンピューティングデバイス、またはワイヤレスモデムに接続された他の処理デバイスであり得る。また、基地局に関して、様々な態様について本明細書で説明する。基地局は、ワイヤレス端末と通信するために利用することができ、アクセスポイント、ノードＢ、発展型ノードＢ（ｅＮＢ）、Ｈ（ｅ）ＮＢと総称されるホームノードＢ（ＨＮＢ）もしくはホーム発展型ノードＢ（ＨｅＮＢ）、または何らかの他の用語で呼ばれる場合もある。
【００１８】
[0026]一般に、「または」という用語は、排他的な「または」ではなく、包括的な「または」を意味するものとする。すなわち、別段の規定がない限り、または文脈から明白でない限り、「ＸはＡまたはＢを使用する」という語句は、自然な包括的置換のいずれかを意味するものとする。すなわち、「ＸはＡまたはＢを使用する」という語句は、以下の例のいずれかによって満足される。ＸはＡを使用する。ＸはＢを使用する。ＸはＡとＢの両方を使用する。加えて、本出願および添付の特許請求の範囲で使用する冠詞「ａ」および「ａｎ」は、別段の規定がない限り、または単数形を示すことが文脈から明白でない限り、概して「１つまたは複数」を意味するものと解釈すべきである。
【００１９】
[0027]本明細書で説明する技法は、ＣＤＭＡ、ＴＤＭＡ、ＦＤＭＡ、ＯＦＤＭＡ、ＳＣ−ＦＤＭＡ、ＷｉＦｉキャリア検知多重アクセス（ＣＳＭＡ）、および他のシステムなど、様々なワイヤレス通信システムに使用され得る。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、広帯域ＣＤＭＡ（Ｗ−ＣＤＭＡ）およびＣＤＭＡの他の変形形態を含む。さらに、ｃｄｍａ２０００は、ＩＳ−２０００規格、ＩＳ−９５規格およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装し得る。ＯＦＤＭＡシステムは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。ロングタームエボリューション（ＬＴＥ）は、ダウンリンク上ではＯＦＤＭＡを利用し、アップリンク上ではＳＣ−ＦＤＭＡを利用する、Ｅ−ＵＴＲＡを使用するＵＭＴＳのリリースである。ＵＴＲＡ、Ｅ−ＵＴＲＡ、ＵＭＴＳ、ＬＴＥおよびＧＳＭ（登録商標）は、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する組織からの文書に記載されている。加えて、ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する組織からの文書に記載されている。さらに、そのようなワイヤレス通信システムは、不対無認可スペクトル、８０２．ｘｘワイヤレスＬＡＮ、ＢＬＵＥＴＯＯＴＨ（登録商標）および任意の他の短距離または長距離のワイヤレス通信技法をしばしば使用する、ピアツーピア（たとえば、モバイルツーモバイル）アドホックネットワークシステムをさらに含むことができる。
【００２０】
[0028]いくつかのデバイス、構成要素、モジュールなどを含み得るシステムに関して、様々な態様または特徴が提示される。様々なシステムが、さらなるデバイス、構成要素、モジュールなどを含む場合があり、かつ／または図に関して論じられるデバイス、構成要素、モジュールなどのすべてを含むとは限らないことを、理解および諒解されたい。これらの手法の組合せも使用され得る。
【００２１】
[0029]図１を参照すると、フェムトノードのカバレージ拡大を容易にする例示的なワイヤレス通信システム１００が示されている。システム１００は、一例では、マクロ基地局またはフェムト、ピコ、もしくは他の低電力基地局ノードであり得るマクロノード１０２を備える。システム１００はまた、実質的に任意のタイプの低電力基地局または少なくともその一部分であり得るフェムトノード１０４および１０６を含む。ノード１０２、１０４、および１０６は、それぞれのカバレージエリア１０８、１１０、および１１２を提供する。システム１００はまた、ワイヤレスネットワークアクセスを受けるためにノード１０２、１０４、または１０６と通信する複数のデバイス１１４、１１６、１１８、１２０、１２２、１２４、１２６、および１２８を含む。
【００２２】
[0030]説明したように、フェムトノード１０４および１０６は、ブロードバンド接続を介してワイヤレスネットワーク（図示せず）と通信することができる。加えて、フェムトノード１０４および１０６は、バックホール接続を介して互いとおよび／またはマクロノード１０２と通信することができる。バックホール接続は、たとえば、フェムトノード１０４および／または１０６においてブロードバンド接続を介してアクセス可能なコアワイヤレスネットワークを通じて管理される接続、ならびに／あるいはマクロノード１０２と通信する無線ネットワークコントローラ（ＲＮＣ）を通じた接続であり得る。一例では、初期化時に、フェムトノード１０４および／または１０６のうちの１つまたは複数は、互いと通信して、グルーピング（たとえば、アドホックネットワーク）を形成することもできる。このことは、フェムトノード１０４および／または１０６が通信して、フェムトノード１０４および／または１０６に接続された様々なデバイスにサービスすることに関連するパラメータ（たとえば、リソース割振り、干渉管理など）を判定することを可能にする。さらに、フェムトノード１０４および１０６は、ワイヤレスネットワーク内で動作するようにフェムトノード自体を自動的に構成する（たとえば、バックホール接続もしくはオーバージエアを介して受信された、または場合によっては周囲のノードから検知された類似の情報に基づいて、送信電力、ネットワーク識別子、パイロット信号リソースなどを設定する）ことができる。この例では、フェムトノード１０４および１０６は、ワイヤレスネットワーク上でプロビジョニングされるのにユーザ対話をほとんど必要としない、プラグアンドプレイデバイスとしてふるまうことができる。
【００２３】
[0031]一例では、フェムトノード１０４は、ワイヤレスネットワークアクセスを提供するためにパラメータを判定する際のマクロノード１０２および／またはフェムトノード１０６の能力を観測することができる。たとえば、フェムトノード１０４は、マクロノード１０２、フェムトノード１０６などの判定された能力に基づいて、送信電力、リソースブロック割振り、利用される周波数スペクトル、および／または他のＲＦパラメータを判定または調整することができる。たとえば、マクロノード１０２、フェムトノード１０６、または他のノードの能力が、フェムトノード１０４の能力よりも少なくとも閾値量だけ改善される場合、フェムトノード１０４は送信電力、リソースブロック割振りなどを低減して、より多くのデバイスをその他のノードに任せることができる。これにより、デバイスのカバレージを改善することができる。たとえば、フェムトノード１０４がカバレージエリア１１０を提供する場合、フェムトノード１０６の測定された能力に基づいてＲＦパラメータを調整することによって、フェムトノード１０４はそのカバレージエリアをカバレージエリア１３２に事実上縮小することができ、このことにより、デバイス１２４はフェムトノード１０６と通信する。
【００２４】
[0032]たとえば、フェムトノード１０４は、マクロノード１０２またはフェムトノード１０６のチャネル要素（ＣＥ）の数、バックホールキャパシティ、最大送信電力、ダウンリンク／アップリンク負荷メトリック、選好ユーザ、アクセスモードなどを判定することができる。この情報は、マクロノード１０２またはフェムトノード１０６からブロードキャストチャネル（ＢＣＨ）メッセージで取得され得るか、または物理レイヤにおいて（たとえば、セカンダリ同期チャネルに）埋め込まれ得る。他の例では、マクロノード１０２および／またはフェムトノード１０６は、他のパラメータを利用して、物理レイヤ属性（たとえば、プライマリスクランブリングコード（ＰＳＣ））の選択などの情報を示すことができる。この例では、属性は低い能力に関連する属性値のサブセットまたは高い能力に関連する別のサブセットに対応することができる。このように、フェムトノード１０６は属性を選択して、所望の能力を示すことができる。いずれの場合も、フェムトノード１０４はブロードキャストパラメータを測定して、（たとえば、ネットワークリスニングモジュール（ＮＬＭ）を使用して、または場合によってはフェムトノード１０４と通信するデバイスによって測定された能力パラメータを受信して）マクロノード１０２および／またはフェムトノード１０６の能力を判定することができる。上記のＰＳＣの例では、フェムトノード１０４はマッピングを使用して、ＰＳＣに基づいて能力情報を判定することができる。別の例では、マクロノード１０２および／またはフェムトノード１０６は、説明したように、バックホール接続を介して能力情報をフェムトノード１０４に通信することができる。
【００２５】
[0033]フェムトノード１０４は、観測された能力情報をそれ自体の能力と比較して、一例では、送信電力、リソース割振り（たとえば、時間および／または周波数ブロックの割振り）、周波数スペクトルなどの調整を決定することができる。たとえば、フェムトノード１０６がより多くのＣＥを有するとフェムトノード１０４が判定した場合、フェムトノード１０４は送信電力を低下させて、そのカバレージエリアを縮小することができ、このことにより、フェムトノード１０４と通信するデバイスの（たとえば、フェムトノード１０６または他のノードへの）再選択またはハンドオーバの可能性が高くなる。フェムトノード１０４は、マクロノード１０２および／またはフェムトノード１０６の、そのＲＦパラメータの調整を決定する際の複数の測定された、または場合によっては受信された能力を比較することができることを諒解されたい。さらに、集中型エンティティは複数のノードの能力情報を収集し、それに応じて、能力に基づいて、ノードに対する送信電力、リソース割振り、周波数スペクトルなどのＲＦパラメータおよび／または関連する調整を指定することができることを諒解されたい。ノードは、集中型エンティティから受信されたＲＦパラメータまたは関連する調整に基づいて、ＲＦパラメータを設定することができる。さらに、フェムトノード１０４は、同様に、測定された能力に基づいて、モビリティパラメータを調整することができる。
【００２６】
[0034]一例では、フェムトノード１０４および１０６は、オープンまたはハイブリッドアクセスモードで動作して、マクロノード１０２からデバイスをオフロードすることができる。この例では、フェムトノードが通信パラメータを指定して、他のノードの測定された能力に基づいてカバレージエリアを画定することを可能にすることが自己構成能力をもたらし、このことから上記のシナリオは利益を得ることができる。この点について、マクロノード１０２からオフロードされたデバイスは、最良のまたは少なくとも妥当な通信能力をデバイスに提供するフェムトノードを対象とすることができる。ただし、いくつかの例では、ハイブリッドアクセスモードで動作するフェムトノードは、非メンバーデバイスよりもメンバーデバイスを優先することができることを諒解されたい。
【００２７】
[0035]加えて、パラメータは、ネットワークへのフェムトノードの追加、ネットワークからのフェムトノードの削除などの特定のイベントによって更新され得る。たとえば、フェムトノード１０４は、改善された能力を提供する近くの新しいフェムトノードを（たとえば、ＮＬＭによって受信されたパラメータに基づいて）検出することができ、送信電力などをさらに低下させて、新しいフェムトノードがエリア内のいくつかのデバイスにアクセスを提供することを可能にすることができる。
【００２８】
[0036]図２は、フェムトノードのＲＦパラメータを調整するための例示的なシステム２００を示す。システム２００は、説明したように、ワイヤレスネットワークアクセスを１つまたは複数のデバイスに提供することができるフェムトノード２０２、ならびにフェムトノード２０２に近いフェムトノード２０４を備える。したがって、たとえば、フェムトノード２０２はフェムトノード１０４または１０６の一方に類似していてもよく、フェムトノード２０４はフェムトノード１０４または１０６の他方に類似していてもよい。この例では、フェムトノード２０２および２０４は、バックホールを介してまたは場合によっては管理サーバもしくはゲートウェイ（たとえば、Ｈ（ｅ）ＮＢ管理サーバ（ＨＭＳ）もしくはＨ（ｅ）ＮＢゲートウェイ（ＨＧＷ））を通して通信して、ネットワークアクセスをデバイスに提供することに関連するパラメータを管理することができる。さらに、任意のマクロノード２０６が提供される。マクロノード２０６は、一例では、マクロノード１０２に類似していてもよい。
【００２９】
[0037]フェムトノード２０２は、別のアクセスポイントの能力に関連する１つまたは複数のパラメータを観測するための能力判定構成要素２１０と、他のアクセスポイントの観測された能力に部分的に基づいて、１つまたは複数のＲＦパラメータを調整するためのパラメータ調整構成要素２１２とを含むことができる。フェムトノード２０２はまた、場合によっては、アクセスポイントによってブロードキャストされた１つまたは複数のパラメータを取得するためのＮＬＭ構成要素２１４および／またはフェムトノード２０２の能力についてのパラメータを他のアクセスポイントに通信するための能力指定構成要素２１６を含む。
【００３０】
[0038]一例によれば、フェムトノード２０２は、ネットワークにおいてフェムトノード２０４、マクロノード２０６、または他のノードの所与の能力を通信するためのＲＦパラメータを判定することができる。これは、ワイヤレスネットワークにおけるフェムトノード２０２の初期化時に、タイマーまたはコアネットワーク構成要素からのコマンドに基づいて（ワイヤレスネットワークにおけるアクセスポイントの追加または削除、フェムトノード２０２で検出された閾値を越える負荷などの）１つまたは複数の検出イベントの発生時などに行うことができる。この例では、能力判定構成要素２１０は、フェムトノード２０４において能力に関連する１つまたは複数のパラメータを受信または場合によっては判定することができる。これは、能力判定構成要素２１０が、フェムトノード２０４から（たとえば、ＮＬＭ構成要素２１４を使用してフェムトノード２０４から受信された復号信号に基づいて）ブロードキャストパラメータを受信すること、フェムトノード２０４とのバックホール接続を介してパラメータを受信すること、フェムトノード２０４からパラメータを受信および／または測定することができるフェムトノード２０２と通信するデバイスからパラメータを受信することなどを含むことができる。
【００３１】
[0039]フェムトノード２０４によってブロードキャストされるまたは場合によってはフェムトノード２０４によってブロードキャストされる情報に基づいて判定されるパラメータは、チャネル要素の数、バックホールキャパシティおよびコスト、最大送信電力、平均ダウンリンク／アップリンク負荷、選好ユーザ、アクセスモード（オープン／ハイブリッド／クローズド）などを含むことができる。一例では、この情報はフェムトノード２０４によってブロードキャストされ得る（たとえば、ＢＣＨを介して、またはセカンダリ同期チャネルを使用することなどによって物理レイヤにおいて埋め込まれ得る）。したがって、ＮＬＭ構成要素２１４は、たとえば、ＢＣＨを受信することができ、能力判定構成要素２１０は、パラメータに基づいて（たとえば、示されたまたは場合によってはパラメータから見分けられた）情報を判定することができる。他の例では、フェムトノード２０２と通信するデバイスは、フェムトノード２０４のパラメータを含む測定報告をフェムトノード２０２に通信することができ、その測定報告から能力が判定され得る。代替として、フェムトノード２０４は、ＰＳＣなどの特定の物理レイヤ属性を利用して、能力（たとえば、低いまたは高い最大送信電力、低いまたは高いリソースキャパシティもしくは利用率など）をシグナリングすることができ、物理レイヤ属性は能力情報を示す様々な属性値に対応する。この例では、物理レイヤ属性はフェムトノード２０２において受信され、能力判定構成要素２１０は物理レイヤ属性を能力情報に関連する様々な属性値と比較する。比較に基づいて、能力判定構成要素２１０は、フェムトノード２０４に関連する能力情報を判定することができる。他の例では、フェムトノード２０４は、バックホール接続を介して能力情報をフェムトノード２０２に通信することができる。
【００３２】
[0040]いずれの場合も、能力判定構成要素２１０は受信された情報を解釈して、フェムトノード２０４の能力を判定することができる。特定の例では、能力判定構成要素２１０は、フェムトノード２０４の合計受信信号電力に対する受信パイロット強度（Ｅｃｐ／Ｉｏ）を取得することができ、それに基づいてフェムトノード２０４における平均ダウンリンク負荷を推定することができる（たとえば、より高いＥｃｐ／Ｉｏはより低いダウンリンク負荷を示すことができる、など）。この例では、フェムトノード２０２は、ＮＬＭ構成要素２１４を使用して、または接続されたデバイスからの測定報告において、Ｅｃｐ／Ｉｏを受信することができる。別の例では、能力判定構成要素２１０は、部分的にフェムトノード２０４によってブロードキャストされたアップリンク干渉レベルを復号することによって、フェムトノード２０４における平均アップリンク負荷を推定することができる（たとえば、より高いアップリンク干渉はより高いアップリンク負荷を示すことができる、など）。能力判定構成要素２１０は、追加または代替のパラメータを観測することができ、そのパラメータをフェムトノード２０２のパラメータと比較することができることを諒解されたい。
【００３３】
[0041]パラメータ調整構成要素２１２は、フェムトノード２０４の能力とフェムトノード２０２の能力の比較に基づいて、ＲＦパラメータ２２０などの、フェムトノード２０２のＲＦパラメータを調整することができる。たとえば、フェムトノード２０２がフェムトノード２０４（たとえば、および／またはマクロノード２０６もしくは他の隣接ノード）の能力に気づくと、能力判定構成要素２１０は、フェムトノード（および／または他のアクセスポイント）の能力をそれ自体の能力と比較することができ、パラメータ調整構成要素２１２は、送信電力、リソース割振り、周波数スペクトルなどの、フェムトノード２０２のＲＦパラメータ２２０を調整して、１つまたは複数のデバイスにおけるユーザエクスペリエンスを最大化しようとすることができる。ＲＦパラメータ２２０は、ワイヤレスネットワークにおいて通信するために、フェムトノード２０２の送信機または他の構成要素によって使用され得る。
【００３４】
[0042]たとえば、フェムトノード２０４などの１つまたは複数の隣接アクセスポイントが、フェムトノード２０２よりも能力を改善した場合（たとえば、より多くのＣＥ、より良いバックホールスループット、より低い平均負荷、フェムトノード２０２がハイブリッドモードで動作する場合のオープンモードでの動作など）、パラメータ調整構成要素２１２は、ＲＦパラメータ（たとえば、送信電力、周波数および／または時間リソースブロックの数、周波数スペクトルなど）を調整して、デバイスがフェムトノード２０４などの１つまたは複数の隣接アクセスポイントによってサービスされる可能性を高めることができる。たとえば、パラメータ調整構成要素２１２が送信電力を低減する場合、フェムトノード２０２のカバレージエリアは事実上縮小され、したがって、デバイスがフェムトノード２０４などの隣接アクセスポイントに再選択またはハンドオーバする可能性を高める。
【００３５】
[0043]別の例として、フェムトノード２０２はバックホール制限され得る。たとえば、これは、ネットワーク上の他のデバイスを優先することによって引き起こされる制約付きブロードバンドインターネット接続によるものであり得る。他の例では、フェムトノード２０２はメンバーデバイスからのトラフィックを優先することができ、このことは非メンバーデバイスに対するバックホール制限を引き起こし得る。これらの例では、能力判定構成要素２１０は（たとえば、バックホールスループットに関連するパラメータを受信することに基づいて、その他の隣接アクセスポイントがオープンアクセスモードで動作していると判定することに基づいて、など）、他の隣接アクセスポイントが、スループットが増加したバックホールを有し得ると判定することができる。この例では、パラメータ調整構成要素２１２は、より多くのリソースがより良いバックホールを有する隣接アクセスポイントで利用可能になるように、フェムトノード２０２に割り振られた周波数／時間ブロックの数または周波数スペクトルの量を低減することができる。
【００３６】
[0044]加えて、たとえば、能力指定構成要素２１６は、フェムトノード２０２に関連する能力情報を他のアクセスポイントに通信することができる。たとえば、能力指定構成要素２１６は、１つまたは複数のオーバーヘッドメッセージにおいて能力をブロードキャストすることができる。一例では、これは、能力の明示的な指標（explicit indication）、説明したように、ＰＳＣなどの１つまたは複数の他のパラメータを使用して、ＰＳＣを１つまたは複数の様々なＰＳＣ値を比較することに基づいて情報を示す指標などを含むことができる。別の例では、能力指定構成要素２１６は、バックホールを介して情報をフェムトノード２０４、マクロノード２０６などの１つまたは複数のアクセスポイントに通信することができる。
【００３７】
[0045]さらに、フェムトノード２０２は、説明したように、様々なフェムトノードの能力情報を収集するまたは場合によっては判定する、ＨＮＢゲートウェイ、ＨＭＳなどの集中型エンティティであり得ることを諒解されたい。この例では、パラメータ調整構成要素２１２は、様々なフェムトノードについてＲＦパラメータを調整し、調整されたＲＦパラメータをフェムトノードに通信することができる。フェムトノードはＲＦパラメータを受信し、それに応じて、受信されたＲＦパラメータに基づいて、ＲＦパラメータを調整することができる。
【００３８】
[0046]図３を参照すると、フェムトノードのＲＦパラメータを調整して、カバレージエリアを設定することに関連する例示的な方法が示されている。説明を簡単にするために、方法を一連の行為として図示し説明するが、いくつかの行為は、１つまたは複数の実施形態によれば、本明細書で図示し説明する順序とは異なる順序で、および／または他の行為と同時に行われ得るので、方法は行為の順序によって限定されないことを理解および諒解されたい。たとえば、方法は、代わりに、状態図においてなど、一連の相互に関係する状態またはイベントとして表すことができることを、諒解されたい。さらに、１つまたは複数の実施形態に従って方法を実施するために、示したすべての行為が必要とされ得るわけではない。
【００３９】
[0047]図３を見ると、フェムトノードのＲＦパラメータを調整するのを容易にする例示的な方法３００が表示されている。
【００４０】
[0048]３０２で、１つまたは複数の隣接アクセスポイント（たとえば、隣接フェムトノードまたはピコノード）の能力は、隣接アクセスポイントから受信された信号に部分的に基づいて判定され得る。たとえば、能力は、１つまたは複数の隣接アクセスポイントからブロードキャストメッセージにおいて受信された、１つまたは複数の隣接アクセスポイントのチャネル要素の数、バックホールキャパシティもしくはコスト、最大送信電力、平均ダウンリンクもしくはアップリンク負荷、またはアクセスモードなどに関連することができる。さらに、判定することは、ＢＣＨまたはバックホール接続を介して能力についての情報を受信すること、ＢＣＨを介して受信された情報に基づいて能力を判定すること、ＰＳＣなどの１つまたは複数の受信された物理レイヤ属性を考えられる能力パラメータにマッピングすることに基づいて能力を推測することなどを備えることができる。
【００４１】
[0049]３０４で、能力をフェムトノードの１つまたは複数の能力と比較して、フェムトノードのＲＦパラメータ調整を決定することができる。たとえば、これは、能力が１つまたは複数の隣接アクセスポイントについて判定された能力よりも良いかまたは悪いかを判定することを含むことができる。１つまたは複数の隣接アクセスポイントについて能力がより良い場合、たとえば、ＲＦパラメータ調整は、デバイスが１つまたは複数の隣接アクセスポイントをより頻繁に優先することができるように、ＲＦパラメータを低下させて、フェムトノードのカバレージエリアを事実上縮小することに関連することができる。したがって、ユーザエクスペリエンスが改善され、より良く最適化され得る。ただし、フェムトノードの能力が隣接アクセスポイントよりも良い場合、ＲＦパラメータはフェムトノードのカバレージエリアを増大させるように修正され得る。たとえば、ＲＦパラメータは、フェムトノードの送信電力、リソース割振り、周波数スペクトルなどに関連し得る。
【００４２】
[0050]３０６で、１つまたは複数のＲＦパラメータは、説明したように、比較に基づいて調整され得る。たとえば、ＲＦパラメータ調整は、１つまたは複数のＲＦパラメータの現在値に対して絶対的または相対的なものであり得る。ＲＦパラメータをフェムトノードにおいて調整して、カバレージエリアの修正を実施することができる。
【００４３】
[0051]本明細書で説明する１つまたは複数の態様によれば、説明したように、隣接アクセスポイントの能力を判定すること、対応するＲＦパラメータ調整を決定することなどについて推測を行うことができることを諒解されよう。本明細書で使用する場合、「推論する」または「推論」という用語は、一般に、イベントおよび／またはデータを介して捕捉される１組の観察値から、システム、環境、および／またはユーザの状態を推理または推論するプロセスを指す。推論は、特定のコンテキストもしくはアクションを識別するために使用することができるか、または、たとえば、状態上の確率分布を生成することができる。推論は、確率的、すなわち、データおよびイベントの考慮事項に基づいた、当該の状態上の確率分布の計算であり得る。推論は、１組のイベントおよび／またはデータからより高レベルのイベントを構成するために使用される技法を指すこともできる。イベントが時間的近さにおいて相関しているかどうか、ならびにイベントおよびデータが１つまたは複数のイベントおよびデータソースに由来するかどうかにかかわらず、そのような推論によって、１組の観察されたイベントおよび／または記憶されたイベントデータから新しいイベントまたはアクションの構築がもたらされる。
【００４４】
[0052]図４を参照すると、フェムトノードのカバレージエリアを拡大するためのシステム４００が示されている。たとえば、システム４００は、少なくとも部分的にフェムトノード内にあり得る。システム４００は、プロセッサ、ソフトウェア、またはそれらの組合せ（たとえば、ファームウェア）によって実施される機能を表す機能ブロックであり得る機能ブロックを含むものとして表されていることを諒解されたい。システム４００は、連携して動作することができる電気的構成要素の論理グルーピング４０２を含む。たとえば、論理グルーピング４０２は、１つまたは複数の隣接アクセスポイント（たとえば、フェムトノードまたはピコノード）から受信された信号に部分的に基づいて、１つまたは複数の隣接アクセスポイントの能力を判定するための電気的構成要素４０４を含むことができる。さらに、論理グルーピング４０２は、能力をフェムトノードの１つまたは複数の能力と比較して、ＲＦパラメータ調整を決定するための電気的構成要素４０６を備えることができる。
【００４５】
[0053]さらに、論理グルーピング４０２は、比較に基づいて、１つまたは複数のＲＦパラメータを調整するための電気的構成要素を含むことができる。説明したように、ＲＦパラメータは、能力の比較に基づいてフェムトノードのカバレージエリアを拡大または縮小することなどによって、フェムトノードまたは１つもしくは複数のアクセスポイントを優先するように調整され得る。たとえば、上記で説明したように、電気的構成要素４０４および４０６は、能力判定構成要素２１０を含むことができる。加えて、たとえば、上記で説明したように、電気的構成要素４０８は、一態様では、パラメータ調整構成要素２１２を含むことができる。
【００４６】
[0054]加えて、システム４００は、電気的構成要素４０４、４０６、および４０８に関連する機能を実行するための命令を保持するメモリ４１０を含むことができる。メモリ４１０の外部にあるものとして示されているが、電気的構成要素４０４、４０６、および４０８のうちの１つまたは複数は、メモリ４１０内に存在し得ることを理解されたい。一例では、電気的構成要素４０４、４０６、および４０８は、少なくとも１つのプロセッサを備えることができ、または各電気的構成要素４０４、４０６、および４０８は、少なくとも１つのプロセッサの対応するモジュールとすることができる。さらに、追加または代替の例では、電気的構成要素４０４、４０６、および４０８はコンピュータ可読媒体を備えるコンピュータプログラム製品とすることができ、各電気的構成要素４０４、４０６、および４０８は対応するコードとすることができる。
【００４７】
[0055]次に図５を参照すると、本明細書で提示する様々な実施形態によるワイヤレス通信システム５００が示されている。システム５００は、複数のアンテナグループを含むことができる基地局５０２を備える。たとえば、１つのアンテナグループはアンテナ５０４および５０６を含むことができ、別のグループはアンテナ５０８および５１０を備えることができ、さらなるグループはアンテナ５１２および５１４を含むことができる。アンテナグループごとに２つのアンテナが示されているが、グループごとにより多いか、またはより少ないアンテナを利用することができる。基地局５０２は、送信機チェーンおよび受信機チェーンをさらに含むことができ、それらの各々は、諒解されるように、信号の送信および受信に関連する複数の構成要素（たとえば、プロセッサ、変調器、マルチプレクサ、復調器、デマルチプレクサ、アンテナなど）を備えることができる。
【００４８】
[0056]基地局５０２は、モバイルデバイス５１６およびモバイルデバイス５２２などの１つまたは複数のモバイルデバイスと通信することができるが、基地局５０２は、モバイルデバイス５１６および５２２と同様の実質的に任意の数のモバイルデバイスと通信することができることを諒解されたい。モバイルデバイス５１６および５２２は、たとえば、セルラー電話、スマートフォン、ラップトップ、ハンドヘルド通信デバイス、ハンドヘルドコンピューティングデバイス、衛星無線、全地球測位システム、ＰＤＡ、および／または、ワイヤレス通信システム５００を介して通信するための任意の他の適切なデバイスであり得る。図示のように、モバイルデバイス５１６は、アンテナ５１２および５１４と通信中であり、ここでアンテナ５１２および５１４は、順方向リンク５１８を介してモバイルデバイス５１６に情報を送信し、逆方向リンク５２０を介してモバイルデバイス５１６から情報を受信する。さらに、モバイルデバイス５２２は、アンテナ５０４および５０６と通信中であり、ここでアンテナ５０４および５０６は、順方向リンク５２４を介してモバイルデバイス５２２に情報を送信し、逆方向リンク５２６を介してモバイルデバイス５２２から情報を受信する。周波数分割複信（ＦＤＤ）システムでは、たとえば、順方向リンク５１８は、逆方向リンク５２０によって使用される周波数帯域とは異なる周波数帯域を利用することができ、順方向リンク５２４は、逆方向リンク５２６によって使用される周波数帯域とは異なる周波数帯域を使用することができる。さらに、時分割複信（ＴＤＤ）システムでは、順方向リンク５１８および逆方向リンク５２０は、共通の周波数帯域を利用することができ、順方向リンク５２４および逆方向リンク５２６は、共通の周波数帯域を利用することができる。
【００４９】
[0057]アンテナの各グループおよび／またはアンテナが通信するように指定されたエリアは、基地局５０２のセクタと呼ぶことができる。たとえば、アンテナグループは、基地局５０２によってカバーされるエリアのセクタ内のモバイルデバイスと通信するように設計することができる。順方向リンク５１８および５２４を介した通信では、基地局５０２の送信アンテナはビームフォーミングを利用して、モバイルデバイス５１６用の順方向リンク５１８およびモバイルデバイス５２２用の順方向リンク５２４の信号対雑音比を改善することができる。また、基地局５０２はビームフォーミングを利用して、関連するカバレージを介して不規則に分散したモバイルデバイス５１６および５２２に送信するが、隣接するセル内のモバイルデバイスは、単一のアンテナを介してすべてのそのモバイルデバイスに送信する基地局と比較して、干渉を被る可能性が少ない。さらに、モバイルデバイス５１６および５２２は、図示のように、ピアツーピアまたはアドホック技術を使用して、互いに直接通信することができる。一例によれば、システム５００は多入力多出力（ＭＩＭＯ）通信システムであり得る。
【００５０】
[0058]図６は、例示的なワイヤレス通信システム６００を示す。ワイヤレス通信システム６００は、簡潔にするために、フェムトノードを含むことができる１つの基地局６１０、および１つのモバイルデバイス６５０を図示している。しかしながら、システム６００は、２つ以上の基地局および／または２つ以上のモバイルデバイスを含むことができ、さらなる基地局および／またはモバイルデバイスは、以下で説明する例示的な基地局６１０およびモバイルデバイス６５０と実質的に同様か、または異なる可能性があることを諒解されたい。加えて、基地局６１０および／またはモバイルデバイス６５０は、本明細書で説明するシステム（図１、図２、図４、および図５）および／または方法（図３）を使用して、それらの間のワイヤレス通信を容易にすることができることを諒解されたい。たとえば、本明細書で説明するシステムの構成要素もしくは機能および／または方法は、以下で説明するメモリ６３２および／もしくは６７２、またはプロセッサ６３０および／もしくは６７０の一部とすることができ、かつ／あるいは、プロセッサ６３０および／もしくは６７０によって実行されて、開示した機能を実行することができる。
【００５１】
[0059]基地局６１０で、いくつかのデータストリームのトラフィックデータが、データソース６１２から送信（ＴＸ）データプロセッサ６１４に供給される。一例によれば、各データストリームは、それぞれのアンテナを介して送信することができる。ＴＸデータプロセッサ６１４は、そのデータストリーム用に選択された特定の符号化方式に基づいて、トラフィックデータストリームをフォーマットし、符号化し、インターリーブして、符号化されたデータを供給する。
【００５２】
[0060]各データストリームの符号化データは、直交周波数分割多重（ＯＦＤＭ）技法を使用して、パイロットデータとともに多重化することができる。追加または代替として、パイロットシンボルは、周波数分割多重（ＦＤＭ）、時分割多重（ＴＤＭ）、または符号分割多重（ＣＤＭ）であり得る。パイロットデータは、通常、既知の方法で処理され、かつモバイルデバイス６５０で使用されて、チャネル応答を推定することができる既知のデータパターンである。データストリームごとに多重化されたパイロットデータと符号化データは、そのデータストリーム用に選択された特定の変調方式（たとえば、２位相シフトキーイング（ＢＰＳＫ）、４位相シフトキーイング（ＱＰＳＫ）、Ｍ位相シフトキーイング（Ｍ−ＰＳＫ）、Ｍ直角位相振幅変調（Ｍ−ＱＡＭ）など）に基づいて、変調（たとえば、シンボルマップ）されて、変調シンボルを供給することができる。データストリームごとのデータレート、符号化、および変調は、プロセッサ６３０によって実行または提供された命令によって決定することができる。
【００５３】
[0061]データストリーム用の変調シンボルをＴＸ  ＭＩＭＯプロセッサ６２０に供給することができ、ＴＸ  ＭＩＭＯプロセッサ８２０は、さらに（たとえば、ＯＦＤＭ用の）変調シンボルを処理することができる。次いで、ＴＸ  ＭＩＭＯプロセッサ６２０は、ＮＴ個の変調シンボルストリームをＮＴ個の送信機（ＴＭＴＲ）６２２ａ〜６２２ｔに供給する。様々な実施形態では、ＴＸ  ＭＩＭＯプロセッサ６２０は、データストリームのシンボル、およびシンボルがそこから送信されるアンテナに、ビームフォーミング重みを加える。
【００５４】
[0062]各送信機６２２は、それぞれのシンボルストリームを受信および処理して、１つまたは複数のアナログ信号を供給し、さらにアナログ信号を調整（たとえば、増幅、フィルタリング、およびアップコンバート）して、ＭＩＭＯチャネルを介した送信に適した変調信号を供給する。さらに、送信機６２２ａ〜６２２ｔからのＮＴ個の変調信号が、それぞれＮＴ個のアンテナ６２４ａ〜６２４ｔから送信される。
【００５５】
[0063]モバイルデバイス６５０で、送信された変調信号は、ＮＲ個のアンテナ６５２ａ〜６５２ｒによって受信され、各アンテナ６５２から受信された信号は、それぞれの受信機（ＲＣＶＲ）６５４ａ〜６５４ｒに供給される。各受信機６５４は、それぞれの信号を調整（たとえば、フィルタリング、増幅、およびダウンコンバート）し、調整された信号をデジタル化してサンプルを供給し、さらにそのサンプルを処理して対応する「受信」シンボルストリームを供給する。
【００５６】
[0064]ＲＸデータプロセッサ６６０は、ＮＲ個の受信機６５４からＮＲ個の受信シンボルストリームを受信し、特定の受信機処理技法に基づいて処理して、ＮＴ個の「検出」シンボルストリームを供給することができる。ＲＸデータプロセッサ６６０は、検出された各シンボルストリームを復調、デインターリーブ、および復号して、データストリーム用のトラフィックデータを復元することができる。ＲＸデータプロセッサ６６０による処理は、基地局６１０でのＴＸ  ＭＩＭＯプロセッサ６２０およびＴＸデータプロセッサ６１４によって実行された処理と相補関係にある。
【００５７】
[0065]逆方向リンクメッセージは、通信リンクおよび／または受信データストリームに関する様々なタイプの情報を備えることができる。逆方向リンクメッセージは、データソース６３６からいくつかのデータストリーム用のトラフィックデータも受信するＴＸデータプロセッサ６３８によって処理され、変調器６８０によって変調され、送信機６５４ａ〜６５４ｒによって調整され、基地局６１０に送り返すことができる。
【００５８】
[0066]基地局６１０で、モバイルデバイス６５０からの変調信号は、アンテナ６２４によって受信され、受信機６２２によって調整され、復調器６４０によって復調され、ＲＸデータプロセッサ６４２によって処理されて、モバイルデバイス６５０によって送信される逆方向リンクメッセージを抽出する。さらに、プロセッサ６３０は、抽出されたメッセージを処理して、ビームフォーミング重みを決定するためにどのプリコーディング行列を使用するかを判定することができる。
【００５９】
[0067]プロセッサ６３０および６７０は、それぞれ基地局６１０およびモバイルデバイス６５０での動作を指示（たとえば、制御、調整、管理など）することができる。それぞれのプロセッサ６３０および６７０は、プログラムコードおよびデータを記憶するメモリ６３２および６７２に関連付けることができる。プロセッサ６３０および６７０は、１つまたは複数のフェムトノードのＲＦパラメータの調整をサポートするための本明細書で説明する機能を実行することもできる。
【００６０】
[0068]図７は、本明細書の実施形態および教示が実施され得る、何人かのユーザをサポートするように構成されたワイヤレス通信システム７００を示す。システム７００は、たとえば、マクロセル７０２Ａ〜７０２Ｇなどの複数のセル７０２用の通信を提供し、各セルは、対応するアクセスノード７０４（たとえば、アクセスノード７０４Ａ〜７０４Ｇ）によってサービスされる。図７に示すように、アクセス端末７０６（たとえば、アクセス端末７０６Ａ〜７０６Ｌ）は、時間とともにシステム全体にわたって様々な位置に分散する可能性がある。各アクセス端末７０６は、たとえば、アクセス端末７０６がアクティブであるかどうか、およびソフトハンドオフにあるかどうかに応じて、所与のときに順方向リンク（ＦＬ）および／または逆方向リンク（ＲＬ）上の１つまたは複数のアクセスノード７０４と通信することができる。ワイヤレス通信システム７００は、広い地理的領域にわたってサービスを提供することができる。
【００６１】
[0069]図８は、１つまたは複数のフェムトノードがネットワーク環境内に配置される、例示的な通信システム８００を示す。具体的には、システム８００は、比較的小規模のネットワーク環境内（たとえば、１つまたは複数のユーザの住宅８３０内）に設置された、複数のフェムトノード８１０Ａおよび８１０Ｂ（たとえば、フェムトセルノードまたはＨ（ｅ）ＮＢ）を含む。各フェムトノード８１０は、デジタル加入者回線（ＤＳＬ）ルータ、ケーブルモデム、ワイヤレスリンク、または他の接続手段（図示せず）を介して、ワイドエリアネットワーク８４０（たとえば、インターネット）およびモバイル事業者コアネットワーク８５０に結合することができる。以下で論じるように、各フェムトノード８１０は、関連するアクセス端末８２０（たとえば、アクセス端末８２０Ａ）、および場合によっては異種のアクセス端末８２０（たとえば、アクセス端末８２０Ｂ）にサービスするように構成することができる。言い換えれば、フェムトノード８１０に対するアクセスは、所与のアクセス端末８２０が１組の指定された（たとえば、ホーム）フェムトノード８１０によってサービスされ得るが、任意の指定されていないフェムトノード８１０（たとえば、隣接するフェムトノード）によってサービスされ得ないように、制限することができる。
【００６２】
[0070]図９は、各々がいくつかのマクロカバレージエリア９０４を含むいくつかのトラッキングエリア９０２（またはルーティングエリアまたはロケーションエリア）が画定された、カバレージマップ９００の一例を示す。ここでは、トラッキングエリア９０２Ａ、９０２Ｂおよび９０２Ｃに関連するカバレージのエリアが太線によって示され、マクロカバレージエリア９０４（たとえば、９０４Ａおよび９０４Ｂ）が六角形によって表されている。トラッキングエリア９０２は、フェムトカバレージエリア９０６（たとえば、９０６Ａ、９０６Ｂ、および９０６Ｃ）も含む。この例では、フェムトカバレージエリア９０６の各々（たとえば、フェムトカバレージエリア９０６Ｃ）は、マクロカバレージエリア９０４（たとえば、マクロカバレージエリア９０４Ｂ）内に図示されている。しかしながら、フェムトカバレージエリア９０６は、完全にマクロカバレージエリア９０４内にあるとは限らないことを諒解されたい。実際には、多数のフェムトカバレージエリア９０６は、所与のトラッキングエリア９０２またはマクロカバレージエリア９０４で画定することができる。また、１つまたは複数のピコカバレージエリア（図示せず）は、所与のトラッキングエリア９０２またはマクロカバレージエリア９０４内に画定することができる。
【００６３】
[0071]再び図８を参照すると、フェムトノード８１０の所有者は、たとえば、モバイル事業者コアネットワーク８５０を介して提供される、３Ｇモバイルサービスなどのモバイルサービスに加入することができる。別の例では、ワイヤレスネットワークのカバレージを拡大するために、モバイル事業者コアネットワーク８５０によってフェムトノード８１０を動作させることができる。加えて、アクセス端末８２０は、マクロ環境内と、より小規模（たとえば、住宅）のネットワーク環境内の両方で動作可能であり得る。したがって、たとえば、アクセス端末８２０の現在の位置に応じて、アクセス端末８２０は、マクロセルアクセスノード８６０によって、または１組のフェムトノード８１０（たとえば、対応するユーザの住宅８３０内に存在するフェムトノード８１０Ａおよび８１０Ｂ）のうちのいずれか１つによってサービスされ得る。たとえば、加入者は、自宅の外にいるときは標準のマクロセルアクセスノード（たとえば、ノード８６０）によってサービスされ、自宅にいるときはフェムトノード（たとえば、ノード８１０Ａ）によってサービスされる。ここで、フェムトノード８１０は、既存のアクセス端末８２０との後方互換性があり得ることを諒解されたい。
【００６４】
[0072]フェムトノード８１０は、単一の周波数上か、または代替として、複数の周波数上に配置することができる。特定の構成に応じて、単一の周波数、または複数の周波数のうちの１つもしくは複数は、マクロセルアクセスノード（たとえば、ノード８６０）によって使用される１つまたは複数の周波数と重なる可能性がある。いくつかの態様では、アクセス端末８２０は、そのような接続が可能であるときはいつでも、好ましいフェムトノード（たとえば、アクセス端末８２０のホームフェムトノード）に接続するように構成することができる。たとえば、アクセス端末８２０がユーザの住宅８３０内にあるときはいつでも、アクセス端末８２０はホームフェムトノード８１０と通信することができる。
【００６５】
[0073]いくつかの態様では、アクセス端末８２０がモバイル事業者コアネットワーク８５０内で動作するが、（たとえば、好ましいローミングリスト内に規定されたような）その最も好ましいネットワーク上に存在していない場合、より良いシステムが現在利用可能かどうかを判定するための利用可能なシステムの周期的走査、およびそのような好ましいシステムに関連付けるためのその後の努力を含み得るＢｅｔｔｅｒ  Ｓｙｓｔｅｍ  Ｒｅｓｅｌｅｃｔｉｏｎ（ＢＳＲ）を使用して、アクセス端末８２０は最も好ましいネットワーク（たとえば、フェムトノード８１０）を探し続けることができる。一例では、（たとえば、好ましいローミングリスト内の）取得テーブル項目を使用して、アクセス端末８２０は特定の帯域およびチャネルに対する探索を制限することができる。たとえば、最も好ましいシステムに対する探索は、周期的に繰り返すことができる。フェムトノード８１０などの好ましいフェムトノードが発見されると、アクセス端末８２０は、そのカバレージエリア内のキャンピング用にフェムトノード８１０を選択する。
【００６６】
[0074]いくつかの態様では、フェムトノードは制限される可能性がある。たとえば、所与のフェムトノードは、特定のアクセス端末に特定のサービスを提供することしかできない。いわゆる制限された（または限定された）関連付けを有する配置では、所与のアクセス端末は、マクロセルモバイルネットワークおよび規定されたセットのフェムトノード（たとえば、対応するユーザの住宅８３０内に存在するフェムトノード８１０）のみによってサービスされ得る。いくつかの実装形態では、フェムトノードは、少なくとも１つのアクセス端末に、シグナリング、データアクセス、登録、ページング、またはサービスのうちの少なくとも１つを提供しないように制限され得る。
【００６７】
[0075]いくつかの態様では、（限定加入者グループＨ（ｅ）ＮＢと呼ばれることもある）制限フェムトノードは、制限付きの供給されたセットのアクセス端末にサービスを提供するフェムトノードである。このセットは、必要に応じて一時的または永続的に拡大することができる。いくつかの態様では、限定加入者グループ（ＣＳＧ）は、アクセス端末の共通アクセス制御リストを共有するアクセスノード（たとえば、フェムトノード）のセットとして規定することができる。ある領域内のすべてのフェムトノード（またはすべての制限フェムトノード）が動作するチャネルは、フェムトチャネルと呼ぶことができる。
【００６８】
[0076]所与のフェムトノードと所与のアクセス端末との間には、このように様々な関係が存在する可能性がある。たとえば、アクセス端末の観点から、オープンフェムトノードは制限された関連付けがないフェムトノードを指すことができる。制限フェムトノードは、何らかの方式で制限された（たとえば、関連付けおよび／または登録について制限された）フェムトノードを指すことができる。ホームフェムトノードは、その上でアクセス端末がアクセスおよび動作することを認可されたフェムトノードを指すことができる。ゲストフェムトノードは、その上でアクセス端末がアクセスまたは動作することを一時的に認可されたフェムトノードを指すことができる。異種フェムトノードは、おそらく緊急事態（たとえば９１１呼）を除いて、その上でアクセス端末がアクセスまたは動作することを認可されないフェムトノードを指すことができる。
【００６９】
[0077]制限フェムトノードの観点から、ホームアクセス端末は、制限フェムトノードにアクセスすることを認可されるアクセス端末を指すことができる。ゲストアクセス端末は、制限フェムトノードへの一時的なアクセス権を有するアクセス端末を指すことができる。異種アクセス端末は、おそらく緊急事態、たとえば９１１呼を除いて、制限フェムトノードにアクセスする許可を有さないアクセス端末（たとえば、制限フェムトノードに登録する資格証明または許可を有さないアクセス端末）を指すことができる。
【００７０】
[0078]便宜上、本開示は、フェムトノードの文脈で様々な機能について本明細書で説明する。しかしながら、ピコノードは、より大きいカバレージエリアに対して、フェムトノードと同じまたは同様の機能を提供することができることを諒解されたい。たとえば、所与のアクセス端末に対して、ピコノードが制限される場合があり、ホームピコノードが規定される場合がある、などである。したがって、その特定の文脈で別段に示されない限り、本明細書で使用するフェムトノードという用語は概して、上記で説明したように、そのようなピコノードと他の低電力基地局とをカバーするものとする。
【００７１】
[0079]ワイヤレス多元接続通信システムは、複数のワイヤレスアクセス端末用の通信を同時にサポートすることができる。上述のように、各端末は、順方向リンクおよび逆方向リンク上の伝送を介して、１つまたは複数の基地局と通信することができる。順方向リンク（またはダウンリンク）は基地局から端末までの通信リンクを指し、逆方向リンク（またはアップリンク）は端末から基地局までの通信リンクを指す。この通信リンクは、単入力単出力システム、ＭＩＭＯシステム、または何らかの他のタイプのシステムを介して確立することができる。
【００７２】
[0080]本明細書で開示する実施形態に関して説明した、様々な例示的な論理、論理ブロック、モジュール、構成要素、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲート論理もしくはトランジスタ論理、個別ハードウェア構成要素、または、本明細書で説明した機能を実行するように設計されたそれらの任意の組合せによって、実装または実行され得る。汎用プロセッサはマイクロプロセッサであり得るが、代替として、プロセッサは任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成として実装され得る。加えて、少なくとも１つのプロセッサは、上記で説明したステップおよび／またはアクションのうちの１つまたは複数を実行するように動作可能な１つまたは複数のモジュールを備え得る。例示的な記憶媒体は、プロセッサが記憶媒体から情報を読み取り、記憶媒体に情報を書き込むことができるように、プロセッサに結合され得る。代替として、記憶媒体はプロセッサと一体であり得る。さらに、いくつかの態様では、プロセッサおよび記憶媒体はＡＳＩＣ中に常駐し得る。加えて、ＡＳＩＣはユーザ端末中に存在し得る。代替として、プロセッサおよび記憶媒体は、ユーザ端末中に個別構成要素として常駐し得る。
【００７３】
[0081]１つまたは複数の態様では、説明した機能、方法、またはアルゴリズムは、ハードウェア、ソフトウェア、ファームウェア、またはそれらの任意の組合せで実装され得る。ソフトウェアで実装された場合、機能は、１つまたは複数の命令もしくはコードとして、コンピュータ可読媒体上に記憶することができるか、または、コンピュータ可読媒体上で送信することができ、コンピュータ可読媒体はコンピュータプログラム製品に組み込むことができる。コンピュータ可読媒体は、ある場所から別の場所へのコンピュータプログラムの転送を容易にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、または、命令もしくはデータ構造の形態で所望のプログラムコードを搬送もしくは記憶するために使用でき、コンピュータによってアクセスできる、任意の他の媒体を備えることができる。また、実質的にいかなる接続もコンピュータ可読媒体と呼ぶことができる。たとえば、ソフトウェアが、同軸ケーブル、光ファイバケーブル、ツイストペア、デジタル加入者回線（ＤＳＬ）、または、赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または、赤外線、無線、およびマイクロ波などのワイヤレス技術は、媒体の定義に含まれる。本明細書で使用するディスク（ｄｉｓｋ）およびディスク（ｄｉｓｃ）は、コンパクトディスク（ｄｉｓｃ）（ＣＤ）、レーザーディスク（登録商標）（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルーレイディスク（ｄｉｓｃ）を含み、ディスク（ｄｉｓｋ）は、通常、データを磁気的に再生し、ディスク（ｄｉｓｃ）は、通常、データをレーザで光学的に再生する。上記の組合せもコンピュータ可読媒体の範囲内に含めるべきである。
【００７４】
[0082]上記の開示は、例示的な態様および／または実施形態について論じたが、添付の特許請求の範囲によって定義される、説明した態様および／または実施形態の範囲から逸脱することなく、様々な変更および改変を本明細書で行うことができることに留意されたい。さらに、説明した態様および／または実施形態の要素は、単数形で説明または請求されていることがあるが、単数形に限定することが明示的に述べられていない限り、複数形が企図される。加えて、任意の態様および／または実施形態の全部または一部は、別段に記載されていない限り、任意の他の態様および／または実施形態の全部または一部とともに利用され得る。
【図１】
2015512225.tif 000003
【図２】
2015512225.tif 000004
【図３】
2015512225.tif 000005
【図４】
2015512225.tif 000006
【図５】
2015512225.tif 000007
【図６】
2015512225.tif 000008
【図７】
2015512225.tif 000009
【図８】
2015512225.tif 000010
【図９】
2015512225.tif 000011
【手続補正書】
【提出日】平成26年10月30日(2014.10.30)
【手続補正１】
【補正対象書類名】特許請求の範囲
【補正対象項目名】全文
【補正方法】変更
【補正の内容】
【特許請求の範囲】
【請求項１】
フェムトノードがその無線周波数（ＲＦ）パラメータのうちの１つまたは複数を構成するための方法であって、
１つまたは複数の隣接フェムトノードまたはピコノードから受信された信号に部分的に基づいて、前記１つまたは複数の隣接フェムトノードまたはピコノードの能力を判定することであって、前記能力が、チャネル要素の数、バックホールキャパシティもしくはコスト、選好ユーザタイプ、またはアクセスモードを備えることと、
前記１つまたは複数の隣接フェムトノードまたはピコノードの前記判定された能力を前記フェムトノードの１つまたは複数の能力と比較することと、
前記比較に基づいて、前記フェムトノードの１つまたは複数のＲＦパラメータを調整することと
を備える方法。
【請求項２】
前記能力が、合計送信電力、またはダウンリンクもしくはアップリンク負荷メトリックをさらに備える、請求項１に記載の方法。
【請求項３】
前記１つまたは複数の隣接フェムトノードまたはピコノードの前記能力が、前記１つまたは複数の隣接フェムトノードまたはピコノードによって送信された物理レイヤ属性に部分的に基づいて判定される、請求項１に記載の方法。
【請求項４】
前記１つまたは複数の隣接フェムトノードまたはピコノードの前記能力が、前記１つまたは複数の隣接フェムトノードまたはピコノードから受信されたブロードキャストメッセージに部分的に基づいて判定される、請求項１に記載の方法。
【請求項５】
前記１つまたは複数の隣接フェムトノードまたはピコノードの前記能力が、前記１つまたは複数の隣接フェムトノードまたはピコノードとのバックホール接続を介して前記１つまたは複数の隣接フェムトノードまたはピコノードから受信されたメッセージに部分的に基づいて判定される、請求項１に記載の方法。
【請求項６】
前記１つまたは複数の隣接フェムトノードまたはピコノードの前記能力が、ユーザ機器（ＵＥ）を通じて受信されたメッセージに部分的に基づいて判定される、請求項１に記載の方法。
【請求項７】
前記１つまたは複数のＲＦパラメータを調整することが、前記フェムトノードの送信電力、リソース割振り、または周波数スペクトルを調整することを備える、請求項１に記載の方法。
【請求項８】
前記フェムトノードの前記１つまたは複数の能力を前記１つまたは複数の隣接フェムトノードまたはピコノードの少なくとも一部分に通信することをさらに備える、請求項１に記載の方法。
【請求項９】
フェムトノードの１つまたは複数の無線周波数（ＲＦ）パラメータを構成するための装置であって、
１つまたは複数の隣接フェムトノードまたはピコノードから受信された信号に部分的に基づいて、前記１つまたは複数の隣接フェムトノードまたはピコノードの能力を判定することであって、前記能力が、チャネル要素の数、バックホールキャパシティもしくはコスト、選好ユーザタイプ、またはアクセスモードを備えることと、
前記１つまたは複数の隣接フェムトノードまたはピコノードの前記判定された能力を前記フェムトノードの１つまたは複数の能力と比較することと、
前記比較に基づいて、前記フェムトノードの１つまたは複数のＲＦパラメータを調整することと
を行うように構成された少なくとも１つのプロセッサと、
前記少なくとも１つのプロセッサに結合されたメモリと
を備える装置。
【請求項１０】
前記能力が、合計送信電力、またはダウンリンクもしくはアップリンク負荷メトリックをさらに備える、請求項９に記載の装置。
【請求項１１】
前記１つまたは複数の隣接フェムトノードまたはピコノードの前記能力が、前記１つまたは複数の隣接フェムトノードまたはピコノードによって送信された物理レイヤ属性に部分的に基づいて判定される、請求項９に記載の装置。
【請求項１２】
前記１つまたは複数の隣接フェムトノードまたはピコノードの前記能力が、前記１つまたは複数の隣接フェムトノードまたはピコノードから受信されたブロードキャストメッセージに部分的に基づいて判定される、請求項９に記載の装置。
【請求項１３】
前記１つまたは複数の隣接フェムトノードまたはピコノードの前記能力が、前記１つまたは複数の隣接フェムトノードまたはピコノードとのバックホール接続を介して前記１つまたは複数の隣接フェムトノードまたはピコノードから受信されたメッセージに部分的に基づいて判定される、請求項９に記載の装置。
【請求項１４】
前記１つまたは複数の隣接フェムトノードまたはピコノードの前記能力が、ユーザ機器（ＵＥ）を通じて受信されたメッセージに部分的に基づいて判定される、請求項９に記載の装置。
【請求項１５】
前記少なくとも１つのプロセッサが、前記フェムトノードの送信電力、リソース割振り、または周波数スペクトルを調整することによって、前記１つまたは複数のＲＦパラメータを調整するように構成される、請求項９に記載の装置。
【請求項１６】
前記少なくとも１つのプロセッサが、前記フェムトノードの前記１つまたは複数の能力を前記１つまたは複数の隣接フェムトノードまたはピコノードの少なくとも一部分に通信するようにさらに構成される、請求項９に記載の装置。
【請求項１７】
フェムトノードの１つまたは複数の無線周波数（ＲＦ）パラメータを構成するための装置であって、
１つまたは複数の隣接フェムトノードまたはピコノードから受信された信号に部分的に基づいて、前記１つまたは複数の隣接フェムトノードまたはピコノードの能力を判定するための手段であって、前記能力が、チャネル要素の数、バックホールキャパシティもしくはコスト、選好ユーザタイプ、またはアクセスモードを備える、手段と、
前記１つまたは複数の隣接フェムトノードまたはピコノードの前記判定された能力を前記フェムトノードの１つまたは複数の能力と比較するための手段と、
前記比較に基づいて、前記フェムトノードの１つまたは複数のＲＦパラメータを調整するための手段と
を備える装置。
【請求項１８】
前記能力が、合計送信電力、またはダウンリンクもしくはアップリンク負荷メトリックをさらに備える、請求項１７に記載の装置。
【請求項１９】
前記１つまたは複数の隣接フェムトノードまたはピコノードの前記能力が、前記１つまたは複数の隣接フェムトノードまたはピコノードによって送信された物理レイヤ属性に部分的に基づいて判定される、請求項１７に記載の装置。
【請求項２０】
前記１つまたは複数の隣接フェムトノードまたはピコノードの前記能力が、前記１つまたは複数の隣接フェムトノードまたはピコノードから受信されたブロードキャストメッセージに部分的に基づいて判定される、請求項１７に記載の装置。
【請求項２１】
前記１つまたは複数の隣接フェムトノードまたはピコノードの前記能力が、前記１つまたは複数の隣接フェムトノードまたはピコノードとのバックホール接続を介して前記１つまたは複数の隣接フェムトノードまたはピコノードから受信されたメッセージに部分的に基づいて判定される、請求項１７に記載の装置。
【請求項２２】
前記１つまたは複数の隣接フェムトノードまたはピコノードの前記能力が、ユーザ機器（ＵＥ）を通じて受信されたメッセージに部分的に基づいて判定される、請求項１７に記載の装置。
【請求項２３】
前記１つまたは複数のＲＦパラメータを調整するための前記手段が、前記フェムトノードの送信電力、リソース割振り、または周波数スペクトルを調整するための手段を備える、請求項１７に記載の装置。
【請求項２４】
前記フェムトノードの前記１つまたは複数の能力を前記１つまたは複数の隣接フェムトノードまたはピコノードの少なくとも一部分に通信するための手段をさらに備える、請求項１７に記載の装置。
【請求項２５】
少なくとも１つのプロセッサによって実行されると、フェムトノードがその無線周波数（ＲＦ）パラメータのうちの１つまたは複数を構成するための動作を前記少なくとも１つのプロセッサに行わせるコードを備える非一時的コンピュータ可読媒体であって、
１つまたは複数の隣接フェムトノードまたはピコノードから受信された信号に部分的に基づいて、前記１つまたは複数の隣接フェムトノードまたはピコノードの能力を判定するためのコードであって、前記能力が、チャネル要素の数、バックホールキャパシティもしくはコスト、選好ユーザタイプ、またはアクセスモードを備える、コードと、
前記１つまたは複数の隣接フェムトノードまたはピコノードの前記判定された能力を前記フェムトノードの１つまたは複数の能力と比較するためのコードと、
前記比較に基づいて、前記フェムトノードの１つまたは複数のＲＦパラメータを調整するためのコードと
を備える非一時的コンピュータ可読媒体。
【請求項２６】
前記能力が、合計送信電力、またはダウンリンクもしくはアップリンク負荷メトリックをさらに備える、請求項２５に記載の非一時的コンピュータ可読媒体。
【請求項２７】
前記１つまたは複数の隣接フェムトノードまたはピコノードの前記能力が、前記１つまたは複数の隣接フェムトノードまたはピコノードによって送信された物理レイヤ属性に部分的に基づいて判定される、請求項２５に記載の非一時的コンピュータ可読媒体。
【請求項２８】
前記１つまたは複数の隣接フェムトノードまたはピコノードの前記能力が、前記１つまたは複数の隣接フェムトノードまたはピコノードから受信されたブロードキャストメッセージに部分的に基づいて判定される、請求項２５に記載の非一時的コンピュータ可読媒体。
【請求項２９】
前記１つまたは複数の隣接フェムトノードまたはピコノードの前記能力が、前記１つまたは複数の隣接フェムトノードまたはピコノードとのバックホール接続を介して前記１つまたは複数の隣接フェムトノードまたはピコノードから受信されたメッセージに部分的に基づいて判定される、請求項２５に記載の非一時的コンピュータ可読媒体。
【請求項３０】
前記１つまたは複数の隣接フェムトノードまたはピコノードの前記能力が、ユーザ機器（ＵＥ）を通じて受信されたメッセージに部分的に基づいて判定される、請求項２５に記載の非一時的コンピュータ可読媒体。
【請求項３１】
前記１つまたは複数のＲＦパラメータを調整するための前記コードが、前記フェムトノードの送信電力、リソース割振り、または周波数スペクトルを調整するためのコードを備える、請求項２５に記載の非一時的コンピュータ可読媒体。
【請求項３２】
前記フェムトノードの前記１つまたは複数の能力を前記１つまたは複数の隣接フェムトノードまたはピコノードの少なくとも一部分に通信するためのコードをさらに備える、請求項２５に記載の非一時的コンピュータ可読媒体。
【手続補正２】
【補正対象書類名】明細書
【補正対象項目名】００７４
【補正方法】変更
【補正の内容】
【００７４】
[0082]上記の開示は、例示的な態様および／または実施形態について論じたが、添付の特許請求の範囲によって定義される、説明した態様および／または実施形態の範囲から逸脱することなく、様々な変更および改変を本明細書で行うことができることに留意されたい。さらに、説明した態様および／または実施形態の要素は、単数形で説明または請求されていることがあるが、単数形に限定することが明示的に述べられていない限り、複数形が企図される。加えて、任意の態様および／または実施形態の全部または一部は、別段に記載されていない限り、任意の他の態様および／または実施形態の全部または一部とともに利用され得る。
以下に、本願出願の当初の特許請求の範囲に記載された発明を付記する。
［Ｃ１］
フェムトノードがその無線周波数（ＲＦ）パラメータのうちの１つまたは複数を構成するための方法であって、
１つまたは複数の隣接フェムトノードまたはピコノードから受信された信号に部分的に基づいて、前記１つまたは複数の隣接フェムトノードまたはピコノードの能力を判定することと、
前記１つまたは複数の隣接フェムトノードまたはピコノードの前記判定された能力を前記フェムトノードの１つまたは複数の能力と比較することと、
前記比較に基づいて、前記フェムトノードの１つまたは複数のＲＦパラメータを調整することと
を備える方法。
［Ｃ２］
前記能力が、チャネル要素の数、バックホールキャパシティもしくはコスト、合計送信電力、ダウンリンクもしくはアップリンク負荷メトリック、選好ユーザタイプ、またはアクセスモードを備える、Ｃ１に記載の方法。
［Ｃ３］
前記１つまたは複数の隣接フェムトノードまたはピコノードの前記能力が、前記１つまたは複数の隣接フェムトノードまたはピコノードによって送信された物理レイヤ属性に部分的に基づいて判定される、Ｃ１に記載の方法。
［Ｃ４］
前記１つまたは複数の隣接フェムトノードまたはピコノードの前記能力が、前記１つまたは複数の隣接フェムトノードまたはピコノードから受信されたブロードキャストメッセージに部分的に基づいて判定される、Ｃ１に記載の方法。
［Ｃ５］
前記１つまたは複数の隣接フェムトノードまたはピコノードの前記能力が、前記１つまたは複数の隣接フェムトノードまたはピコノードとのバックホール接続を介して前記１つまたは複数の隣接フェムトノードまたはピコノードから受信されたメッセージに部分的に基づいて判定される、Ｃ１に記載の方法。
［Ｃ６］
前記１つまたは複数の隣接フェムトノードまたはピコノードの前記能力が、ユーザ機器（ＵＥ）を通じて受信されたメッセージに部分的に基づいて判定される、Ｃ１に記載の方法。
［Ｃ７］
前記１つまたは複数のＲＦパラメータを調整することが、前記フェムトノードの送信電力、リソース割振り、または周波数スペクトルを調整することを備える、Ｃ１に記載の方法。
［Ｃ８］
前記フェムトノードの前記１つまたは複数の能力を前記１つまたは複数の隣接フェムトノードまたはピコノードの少なくとも一部分に通信することをさらに備える、Ｃ１に記載の方法。
［Ｃ９］
フェムトノードの１つまたは複数の無線周波数（ＲＦ）パラメータを構成するための装置であって、
１つまたは複数の隣接フェムトノードまたはピコノードから受信された信号に部分的に基づいて、前記１つまたは複数の隣接フェムトノードまたはピコノードの能力を判定することと、
前記１つまたは複数の隣接フェムトノードまたはピコノードの前記判定された能力を前記フェムトノードの１つまたは複数の能力と比較することと、
前記比較に基づいて、前記フェムトノードの１つまたは複数のＲＦパラメータを調整することと
を行うように構成された少なくとも１つのプロセッサと、
前記少なくとも１つのプロセッサに結合されたメモリと
を備える装置。
［Ｃ１０］
前記能力が、チャネル要素の数、バックホールキャパシティもしくはコスト、合計送信電力、ダウンリンクもしくはアップリンク負荷メトリック、選好ユーザタイプ、またはアクセスモードを備える、Ｃ９に記載の装置。
［Ｃ１１］
前記１つまたは複数の隣接フェムトノードまたはピコノードの前記能力が、前記１つまたは複数の隣接フェムトノードまたはピコノードによって送信された物理レイヤ属性に部分的に基づいて判定される、Ｃ９に記載の装置。
［Ｃ１２］
前記１つまたは複数の隣接フェムトノードまたはピコノードの前記能力が、前記１つまたは複数の隣接フェムトノードまたはピコノードから受信されたブロードキャストメッセージに部分的に基づいて判定される、Ｃ９に記載の装置。
［Ｃ１３］
前記１つまたは複数の隣接フェムトノードまたはピコノードの前記能力が、前記１つまたは複数の隣接フェムトノードまたはピコノードとのバックホール接続を介して前記１つまたは複数の隣接フェムトノードまたはピコノードから受信されたメッセージに部分的に基づいて判定される、Ｃ９に記載の装置。
［Ｃ１４］
前記１つまたは複数の隣接フェムトノードまたはピコノードの前記能力が、ユーザ機器（ＵＥ）を通じて受信されたメッセージに部分的に基づいて判定される、Ｃ９に記載の装置。
［Ｃ１５］
前記少なくとも１つのプロセッサが、前記フェムトノードの送信電力、リソース割振り、または周波数スペクトルを調整することによって、前記１つまたは複数のＲＦパラメータを調整するように構成される、Ｃ９に記載の装置。
［Ｃ１６］
前記少なくとも１つのプロセッサが、前記フェムトノードの前記１つまたは複数の能力を前記１つまたは複数の隣接フェムトノードまたはピコノードの少なくとも一部分に通信するようにさらに構成される、Ｃ９に記載の装置。
［Ｃ１７］
フェムトノードの１つまたは複数の無線周波数（ＲＦ）パラメータを構成するための装置であって、
１つまたは複数の隣接フェムトノードまたはピコノードから受信された信号に部分的に基づいて、前記１つまたは複数の隣接フェムトノードまたはピコノードの能力を判定するための手段と、
前記１つまたは複数の隣接フェムトノードまたはピコノードの前記判定された能力を前記フェムトノードの１つまたは複数の能力と比較するための手段と、
前記比較に基づいて、前記フェムトノードの１つまたは複数のＲＦパラメータを調整するための手段と
を備える装置。
［Ｃ１８］
前記能力が、チャネル要素の数、バックホールキャパシティもしくはコスト、合計送信電力、ダウンリンクもしくはアップリンク負荷メトリック、選好ユーザタイプ、またはアクセスモードを備える、Ｃ１７に記載の装置。
［Ｃ１９］
前記１つまたは複数の隣接フェムトノードまたはピコノードの前記能力が、前記１つまたは複数の隣接フェムトノードまたはピコノードによって送信された物理レイヤ属性に部分的に基づいて判定される、Ｃ１７に記載の装置。
［Ｃ２０］
前記１つまたは複数の隣接フェムトノードまたはピコノードの前記能力が、前記１つまたは複数の隣接フェムトノードまたはピコノードから受信されたブロードキャストメッセージに部分的に基づいて判定される、Ｃ１７に記載の装置。
［Ｃ２１］
前記１つまたは複数の隣接フェムトノードまたはピコノードの前記能力が、前記１つまたは複数の隣接フェムトノードまたはピコノードとのバックホール接続を介して前記１つまたは複数の隣接フェムトノードまたはピコノードから受信されたメッセージに部分的に基づいて判定される、Ｃ１７に記載の装置。
［Ｃ２２］
前記１つまたは複数の隣接フェムトノードまたはピコノードの前記能力が、ユーザ機器（ＵＥ）を通じて受信されたメッセージに部分的に基づいて判定される、Ｃ１７に記載の装置。
［Ｃ２３］
前記１つまたは複数のＲＦパラメータを調整するための前記手段が、前記フェムトノードの送信電力、リソース割振り、または周波数スペクトルを調整するための手段を備える、Ｃ１７に記載の装置。
［Ｃ２４］
前記フェムトノードの前記１つまたは複数の能力を前記１つまたは複数の隣接フェムトノードまたはピコノードの少なくとも一部分に通信するための手段をさらに備える、Ｃ１７に記載の装置。
［Ｃ２５］
少なくとも１つのプロセッサによって実行されると、フェムトノードがその無線周波数（ＲＦ）パラメータのうちの１つまたは複数を構成するための動作を前記少なくとも１つのプロセッサに行わせるコードを備える非一時的コンピュータ可読媒体であって、
１つまたは複数の隣接フェムトノードまたはピコノードから受信された信号に部分的に基づいて、前記１つまたは複数の隣接フェムトノードまたはピコノードの能力を判定するためのコードと、
前記１つまたは複数の隣接フェムトノードまたはピコノードの前記判定された能力を前記フェムトノードの１つまたは複数の能力と比較するためのコードと、
前記比較に基づいて、前記フェムトノードの１つまたは複数のＲＦパラメータを調整するためのコードと
を備える非一時的コンピュータ可読媒体。
［Ｃ２６］
前記能力が、チャネル要素の数、バックホールキャパシティもしくはコスト、合計送信電力、ダウンリンクもしくはアップリンク負荷メトリック、選好ユーザタイプ、またはアクセスモードを備える、Ｃ２５に記載の非一時的コンピュータ可読媒体。
［Ｃ２７］
前記１つまたは複数の隣接フェムトノードまたはピコノードの前記能力が、前記１つまたは複数の隣接フェムトノードまたはピコノードによって送信された物理レイヤ属性に部分的に基づいて判定される、Ｃ２５に記載の非一時的コンピュータ可読媒体。
［Ｃ２８］
前記１つまたは複数の隣接フェムトノードまたはピコノードの前記能力が、前記１つまたは複数の隣接フェムトノードまたはピコノードから受信されたブロードキャストメッセージに部分的に基づいて判定される、Ｃ２５に記載の非一時的コンピュータ可読媒体。
［Ｃ２９］
前記１つまたは複数の隣接フェムトノードまたはピコノードの前記能力が、前記１つまたは複数の隣接フェムトノードまたはピコノードとのバックホール接続を介して前記１つまたは複数の隣接フェムトノードまたはピコノードから受信されたメッセージに部分的に基づいて判定される、Ｃ２５に記載の非一時的コンピュータ可読媒体。
［Ｃ３０］
前記１つまたは複数の隣接フェムトノードまたはピコノードの前記能力が、ユーザ機器（ＵＥ）を通じて受信されたメッセージに部分的に基づいて判定される、Ｃ２５に記載の非一時的コンピュータ可読媒体。
［Ｃ３１］
前記１つまたは複数のＲＦパラメータを調整するための前記コードが、前記フェムトノードの送信電力、リソース割振り、または周波数スペクトルを調整するためのコードを備える、Ｃ２５に記載の非一時的コンピュータ可読媒体。
［Ｃ３２］
前記フェムトノードの前記１つまたは複数の能力を前記１つまたは複数の隣接フェムトノードまたはピコノードの少なくとも一部分に通信するためのコードをさらに備える、Ｃ２５に記載の非一時的コンピュータ可読媒体。
【国際調査報告】
2015512225.tif 000012
2015512225.tif 000013
2015512225.tif 000014